(57)【特許請求の範囲】
【請求項１】
液体燃料の気化ガスを燃焼させるバーナと前記液体燃料を加熱・気化して前記バーナに供給する気化ガスを生成する気化器とを収容したバーナケースと、該バーナケースを収容する外装ケースとを備えた気化式燃焼装置において、
前記外装ケースの前面パネルが着脱自在に設けられると共に、該前面パネルを取り外した状態で、前記外装ケース内から前記バーナケースを前方に引き出し可能に該バーナケースが外装ケースに収容され、さらに、該外装ケースから前記バーナケースを引き出した状態で、該バーナケースの側面部に開閉自在に設けた開口穴から、少なくとも前記バーナを引き出し可能に該バーナが前記バーナケース内に収容されていることを特徴とする気化式燃焼装置。
【請求項２】
前記バーナには気化器が固定されており、該気化器は前記バーナと一体に前記バーナケースの開口穴から引き出し可能であることを特徴とする請求項１記載の気化式燃焼装置。
【発明の詳細な説明】
【０００１】
【発明の属する技術分野】
本発明は、気化式燃焼装置に関する。
【０００２】
【従来の技術】
灯油等の液体燃料を加熱した気化器により気化し、その気化ガスをバーナに供給して燃焼させる気化式燃焼装置は、石油温風暖房装置等において従来より用いられている。
【０００３】
この種の気化式燃焼装置では、バーナ及び気化器がバーナケース内に収容され、このバーナケース内に、バーナの燃焼炎が立ち上がる燃焼室や、バーナの燃焼用空気（一次空気や二次空気）を流通させる通路が形成されている（例えば特開平５−１８５１４号公報等を参照）。尚、この種の気化式燃焼装置を備える温風暖房装置等では、さらに前記バーナケースは外装ケース内に収容される。
【０００４】
このような気化式燃焼装置では、バーナのメンテンナンス（例えば炎口部の清掃等）や、劣化時の交換を行う上で、該バーナを外装ケースやバーナケースから容易に取り出すことができることが望まれる。
【０００５】
しかしながら、従来の気化式燃焼装置では、一般に、外装ケースの全体を分解し、さらに、バーナケースの全体を分解する等の作業を行わなければ、バーナを外部に取り出すことができないようになっており、バーナのメンテナンス等を行うために手間暇を要するものとなっていた。
【０００６】
【発明が解決しようとする課題】
本発明はかかる背景に鑑みてなされたものであり、バーナを簡単に外部に取り出すことができ、バーナのメンテナンス等を容易に行うことができる気化式燃焼装置を提供することを目的とする。
【０００７】
【課題を解決するための手段】
本発明の気化式燃焼装置は、かかる目的を達成するために、液体燃料の気化ガスを燃焼させるバーナと前記液体燃料を加熱・気化して前記バーナに供給する気化ガスを生成する気化器とを収容したバーナケースと、該バーナケースを収容する外装ケースとを備えた気化式燃焼装置において、前記外装ケースの前面パネルが着脱自在に設けられると共に、該前面パネルを取り外した状態で、前記外装ケース内から前記バーナケースを前方に引き出し可能に該バーナケースが外装ケースに収容され、さらに、該外装ケースから前記バーナケースを引き出した状態で、該バーナケースの側面部に開閉自在に設けた開口穴から、少なくとも前記バーナを引き出し可能に該バーナが前記バーナケース内に収容されていることを特徴とする。
【０００８】
かかる本発明によれば、前記外装ケースの前面パネルを取り外すことで、バーナケースを外装ケースの内部から前方に引き出すことができる。そして、このバーナケースの引き出し状態で、バーナケースの側面部が露出し、この側面部の開口穴を開くことで、前記バーナを該開口穴から横方向に引き出すことができる。従って、外装ケースやバーナケースを必要以上に分解したりすることなく、前記バーナを容易にバーナケースから取り出すことができる。また、外装ケースの内部から前方に引き出されるバーナケースの横方向にバーナを引き出し可能としているため、外装ケースの前方にさほど広い作業領域を必要とせずに、バーナの取り出し作業を行うことができる。従って、バーナのメンテンナンス等を容易に行うことができる。
【０００９】
かかる本発明では、さらに、前記バーナには気化器が固定されており、該気化器は前記バーナと一体に前記バーナケースの開口穴から引き出し可能であることが好ましい。これによれば、バーナと一体的に前記気化器をバーナケース内から前記開口穴を介して引き出すことができるため、気化器のメンテナンス等も容易に行うことができる。
【００１０】
【発明の実施の形態】
本発明の気化式燃焼装置の一実施形態を図１〜図６を参照して説明する。図１は、本実施形態の気化式燃焼装置を具備した温風暖房装置の外装ケースの構成を示す斜視図、図２は該温風暖房装置の一部を破断して示した側面図、図３は該温風暖房装置の内部構成を示す正面図、図４は該温風暖房装置の要部の斜視図、図５は該温風暖房装置の気化式燃焼装置の要部の構造を示す断面図、図６は図５のＶＩ−ＶＩ線断面図である。
【００１１】
図１〜図３を参照して、本実施形態の気化式燃焼装置を具備した温風暖房装置はＦＦ式のものであり、図中、１は温風暖房装置の外装ケースである。この外装ケース１は、前板部材１ａ（前面パネル）、左右一対の側板部材１ｂ，１ｂ、後板部材１ｃ、天板部材１ｄ及び底板架台１ｅを方形箱状に組み付けて構成され、図２に示すように後板部材１ｃを壁Ｂに対面させて、底板架台１ｅを介して室内の床Ａに設置される。前板部材１ａ、側板部材１ｂ，１ｂ及び後板部材１ｃは、それぞれその下端部が底板架台１ｅにねじ等を用いて固定されると共に、相互に接触する部分がねじ締め等により固定され、さらに天板部材１ｄが、前板部材１ａ、側板部材１ｂ，１ｂ及び後板部材１ｃと互いに接触する部分でねじ締め等により固定されている。
【００１２】
例えば側板部材１ｂは、その下端部が、図３に示すように底板架台１ｅ上に固設されたブラケット２等にねじ締めされて該底板架台１ｅに組み付けられる。また、前板部材１ａは、図３に示すように、その下端部が底板架台１ｅ上に固設されたブラケット３にねじ締めされて該底板架台１ｅに組み付けられると共に、その側縁部が側板部材１ｂのねじ穴４にねじ締めされて該側板部材１ｂに組み付けられる。
【００１３】
この場合、前板部材１ａ、側板部材１ｂ、後板部材１ｃ、天板部材１ｄ及び底板架台１ｅの相互の組み付け形態は、基本的には任意でよいが、本実施形態では、少なくとも前板部材１ａは、それを底板架台１ｅや側板部材１ｂ、天板部材１ｄに組み付けるねじ（図示しない）を取り外すことで脱着可能とされている。
【００１４】
また、図１及び図２に示すように、前板部材１ａには、その略中央部に、網材５を装着した温風吹き出し口６が形成されている。そして、該前板部材１ａには、その温風吹き出し口６の両側で、左右一対の化粧パネル７，７が装着されていると共に、温風吹き出し口６を含めて化粧パネル７，７の間の部分を覆うようにして柵状ガード部材８が装着されている。
【００１５】
この場合、各化粧パネル７は、例えばその裏面部に突設した突起部材（図示省略）を前板部材１ａに穿設された係合穴（図示省略）に嵌入することで、着脱自在に前板部材１ａに装着されている。また、柵状ガード部材８は、その上端部の係合部８ａを前板部材１ａに固設した係止片９に係脱自在に係合すると共に、下端部の突起部材８ｂ，８ｂを前板部材１ａに穿設された係合穴（図示省略）に嵌入することで、着脱自在に前板部材１ａに装着されている。
【００１６】
尚、図１及び図２において、１０は室内空気を後述する対流ファン１８により外装ケース１内に吸入すべく後板部材１ｃの上部に設けた吸入口１１を覆って該後板部材１ｃに装着されたフィルタ部材である。また、１２は後述する気化式燃焼装置１６の燃焼用の空気を屋外から外装ケース１内に導くと共に、該気化式燃焼装置１６の燃焼排ガスを屋外に排出するための二重管構造の給排気管であり、該給排気管１２は、後板部材１ｃから、壁Ｂを貫通して屋外に至っている。
【００１７】
図２及び図３に示すように、上述のように構成された外装ケース１の内部には、バーナケース１３、燃焼ファン１４及び定油面器１５を具備する気化式燃焼装置１６と、該燃焼装置１６の燃焼排ガスを流通させる放熱器１７と、室内空気を前記吸入口１１から外装ケース１内に吸入し、それを放熱器１７を介して前記温風吹き出し口６から室内に送風する対流ファン１８とが収容されている。気化式燃焼装置１６及び対流ファン１８は、それぞれ外装ケース１内の下部、上部に配置され、放熱器１７は、これらの燃焼装置１６及び対流ファン１８の間に配置されている。また、気化式燃焼装置１６のバーナケース１３は、外装ケース１内の幅方向（左右方向）の略中央箇所に配置され、燃焼ファン１４は、バーナケース１３の左側面部に装着されている。さらに、定油面器１５は、バーナケース１３の右側で、前記底板架台１ｅ上に固設されている。
【００１８】
尚、定油面器１５には、外装ケース１の外部の図示しない燃料タンクから配管を配管を介して液体燃料としての灯油が供給されるようになっている。
【００１９】
図３及び図４に示すように、気化式燃焼装置１６のバーナケース１３は、方形箱状のものであり、その左右の側面部を形成する側板１３ａ，１３ａの下端部には、それぞれ前後方向に一定幅で延在するフランジ状の脚部１９，１９が形成されている。また、前記底板架台１ｅ上には、その上面と若干の間隔を存して略平板状の補助架台２０が水平姿勢で配置され、該補助架台２０は、その左右の両側部のフランジ部２０ａ，２０ａが、それぞれ底板架台１ｅ上に設けられた台座２１に固定されている。ここで、補助架台２０は、その両側部のフランジ部２０ａ，２０ａの間の部分が、該フランジ部２０ａ，２０ａよりも下方に凹んだ凹部２０ｂとなっており、この凹部２０ｂは、バーナケース１３の下端部（前記脚部１９，１９を含む）の左右方向の幅と略等しい幅を有して前後方向に延在している。
【００２０】
そして、この補助架台２０の凹部２０ｂ上に前記バーナケース１３が前記脚部１９，１９を介して載架されている。この場合、補助架台２０の左右のフランジ部２０ａ，２０ａには、それぞれ、図４に示すように、バーナケース１３の各脚部１９の上面部に摺接する押え部材２２が固設されている。該押え部材２２は、前後方向に延在する板状のもので、その両端部（前端部及び後端部）が斜め上方に向かって屈曲されている。
【００２１】
従って、バーナケース１３は、補助架台２０の前方から、脚部１９，１９を該補助架台２０の凹部２０ｂ上でスライドさせながら後方に移動させ、該脚部１９，１９をそれぞれ押え部材２２と凹部２０ｂの上面との間に滑り込ませることにより、補助架台２０上に載架される。この場合、各押え部材２２は、その両端部（特に前端部）が上方に向かって屈曲されているため、バーナケース１３の各脚部１９を押え部材２２と凹部２０ｂとの間に容易に滑り込ませることができる。
【００２２】
また、バーナケース１３の前面部を形成する前板１３ｂの下端部には、下方に張り出したエプロン部２３が形成され、このエプロン部２３は、前述のようにバーナケース１３を補助架台２０の凹部２０ｂ上に載架したとき、該補助架台２０の前端部に立設されたブラケット２４にその前方から当接するようになっている。そして、上記エプロン部２３をブラケット２４にねじ締めすることにより、バーナケース１３が補助架台２０に固定されるようになっている。
【００２３】
尚、図３を参照して、バーナケース１３の底面部を形成する底板１３ｃは、補助架台２０のブラケット２４よりも高い位置で設けられ、上述のようにバーナケース１３を補助架台２０に載架するとき、該ブラケット２４と干渉することがないようになっている。詳細な図示は省略するが、このことは、バーナケース１３の後面部を形成する後板１３ｄ（図６参照）についても同様である。また、バーナケース１３の前板１３ｂには、後述するバーナユニット２８の燃焼炎を確認するための炎確認窓２５が設けられると共に、炎検知器としてのフレームロッド２６や点火電極２７が取り付けられている。また、バーナケース１３の右側の側板１３ａには、図６に示すように後述するバーナユニット３１及び気化器３２をバーナケース１３内に出し入れするための開口穴２８が形成されており、この開口穴２８を閉蓋する平板状の蓋部材２９が該側板１３ａに着脱可能に取付けられている。具体的には、蓋部材２９は、図２に示すように、その周縁部が開口穴２８の周囲で図示しないパッキングをバーナケース１３の側板１３ａとの間に介在させて、複数のねじ３０により側板１３ａに取付けられている。
【００２４】
前記バーナケース１３の内部には、図５に示すように、本発明におけるバーナに相当するバーナユニット３１と、液体燃料である灯油を加熱・気化する気化器３２とが収容されている。
【００２５】
バーナユニット３１は、本実施形態では、燃焼量の小さい種火バーナ３３と、燃焼量の大きいメインバーナ３４とを一体的に備えるものであり、上方に開口した箱状のメインバーナヘッド３５内に、上方に開口した箱状の種火バーナヘッド３６（これはメインバーナヘッド３５よりもその深さや長さが小さい）を収容すると共に、それらのメインバーナヘッド３５及び種火バーナヘッド３６の開口上端面に板状のバーナトップ３７を装着した構成とされている。この場合、種火バーナヘッド３６は、図６に示すように、その上端両側部に形成されたフランジ３６ａがメインバーナヘッド３５の上端両側部に形成されたフランジ３５ａに支承されている。そして、バーナトップ３７は、メインバーナヘッド３５のフランジ３５ａや種火バーナヘッド３６のフランジ３６ａとの間に図示しないパッキングを介在させ、これらのバーナヘッド３５，３６を閉蓋するようにして、メインバーナヘッド３５のフランジ３５ａにねじ締め等により固定されている。
【００２６】
また、図５に示す如く、種火バーナヘッド３６内には、その内部の空間を左右の空間３８，３９に隔てる仕切り板４０が設けられ、これらの空間３８，３９は、仕切り板４０に穿設された貫通穴４１を介して連通されている。さらに、右側の空間３９は、種火バーナヘッド３６の右側壁に穿設された貫通穴４２を介して、種火バーナヘッド３６の外部でメインバーナヘッド３５の内部に形成された空間４３に連通されている。ここで、種火バーナヘッド３６内の右側の空間３９は、気化器３２から供給される混合気（灯油の気化ガスと一次空気との混合気）を前記空間３８と４３とに分配供給する混合気分配部３９である。また、種火バーナヘッド３６内の左側の空間３８は、混合気分配部３９から供給された混合気を、該空間３８に連通してバーナトップ３７に穿設された複数の種火炎口４４に供給する種火側混合気通路３８、メインバーナヘッド３５内の空間４３は、混合気分配部３９から供給された混合気を、該空間４３に連通してバーナトップ３７に穿設された複数のメイン炎口４５に供給するメイン側混合気通路４３である。
【００２７】
尚、図６に示すように、バーナトップ３７の前部及び後部（図６の左側の部分及び右側の部分）は、それぞれメインバーナヘッド３５の前方及び後方に張り出しており、この部分には、前記種火炎口４４やメイン炎口４５から立ち上がる燃焼炎に二次空気を供給するための複数の二次空気供給孔４６が穿設されている（図６では便宜上、前部側の二次空気供給孔４６のみを図示している）。
【００２８】
上述のように構成されたバーナユニット３１は、以下に説明するようにバーナケース１３内に設置されたバーナ取付部材４７に取付けられて、バーナケース１３内に保持されている。
【００２９】
すなわち、図５及び図６を参照して、バーナ取付部材４７は、バーナケース１３内に水平姿勢で配置される水平板４８と、該水平板４８の後端から垂直姿勢で起立された垂直板４９とを一体に構成してなる縦断面Ｌ字形状の板材５０を具備し、この板材５０の前後方向の幅は、バーナケース１３の内部の前後方向の幅と同一とされている（図６参照）。そして、その水平板４８及び垂直板４９とにより、バーナケース１３の内部の左側の上部の空間５１を囲むようにしてバーナケース１３内に配置され、図示しないねじ等を介してバーナケース１３の前板１３ｂや後板１３ｄ、天板１３ｅに固定されている。
【００３０】
上記板材５０の水平板４８の下面部には、図６に示すように、横断面Ｚ字形状に屈曲形成されて左右方向（図６の紙面に垂直な方向）に延在する一対のガイド部材５２，５２が左右方向に一定の間隔を存して固設されており、これらのガイド部材５２，５２は、それぞれ水平板４８との間に一定幅の隙間を存して前後方向に延在するバーナ支承部５２ａを形成している。
【００３１】
そして、前記バーナユニット３１は、そのバーナトップ３７の前端部及び後端部（図６の左側端部と右側端部）が、ガイド部材５２，５２のバーナ支承部５２ａ，５２ａと水平板４８との間の隙間に挿入され、該バーナ支承部５２ａ，５２ａ上に左右方向（図６の紙面に垂直な方向）に摺動可能に支承されている。この場合、バーナユニット３１は、前記バーナケース１３の右側の側板１３ａの開口穴２８を介してバーナケース１３内に挿入され、上述のようにバーナ支承部５２ａ，５２ａ上に支承されている。
【００３２】
尚、図５を参照して、前記板材５０の水平板４８及び垂直板４９により囲まれるバーナケース１３内の空間５１は燃焼室５１であり、前記バーナトップ３７の種火炎口４４、メイン炎口４５及び二次空気供給孔４６は、これらの形成領域に臨んで水平板４８に設けられた開口穴４８ａを介して燃焼室５１に開口している。さらに、板材５０の水平板４８上には、二次空気供給孔４６から燃焼室５１に導入される二次空気を種火炎口４４やメイン炎口４５から立ち上がる燃焼炎に向かって導く二次空気整流板５３が固設されている。
【００３３】
また、前記メインバーナヘッド３５の右側の側壁の下端部には、該バーナヘッド３５内で灯油の気化ガスが結露したときに該バーナヘッド３５内に残留することとなる灯油を排出するためのドレン管５４が挿着されている。このドレン管５４は、メインバーナヘッド３５の右側の側壁の下端部から、前記バーナケース１３の開口穴２８に向かって斜め下方に延在し、該開口穴２８を塞ぐ前記蓋部材２９に穿設された貫通穴５５を挿脱自在に貫通して、バーナケース１３の外方に突出されている。そして、このドレン管５４のバーナケース１３外に突出した端部には、図３に示すように、前記定油面器１５に接続されたドレンパイプ５６が着脱自在に挿着されている。これによりメインバーナヘッド３５内に残留する灯油をドレン管５４からドレンパイプ５６を介して定油面器１５に排出可能としている。尚、図５を参照して、前記蓋部材２９には、前記貫通穴５５の箇所でのバーナケース１３内に気密性を確保するためのシール部材５５ａがドレン管５４の周囲に固設されている。
【００３４】
さらに、前記種火バーナヘッド３６内の混合気分配部３９には、これに気化器３２から供給される混合気の、メインバーナ３４及び種火バーナ３３への分配割合を調整するための弁装置５７の円板状の弁体５８が該混合気分配部３９の左右の貫通穴４１，４２と同心に収容されている。
【００３５】
この弁装置５７は、上記弁体５８と、該弁体５８に連結されたロッド５９と、このロッド５９を介して弁体５８を移動させる電動モータ６０（ステッピングモータ）とを備えるものである。前記ロッド５９は、弁体５８の中心部から、種火バーナヘッド３６の貫通穴４２とメインバーナヘッド３５の右側の側壁に穿設されたロッド挿通孔６１とを貫通してバーナケース１３の開口穴２８に向かって延設され、さらに、該開口穴２８を塞ぐ蓋部材２９に穿設されたロッド貫通孔６２を貫通してバーナケース１３の外方に突出され、メインバーナヘッド３５のロッド挿通孔６１にて左右方向に摺動可能に支承されている。
【００３６】
そして、弁装置５７の電動モータ６０は、バーナケース１３の外側で前記蓋部材２９にモータ取付部材６３を介して取付けられており、この電動モータ６０の回転駆動軸６０ａから延設されたピアノ線等のような線状弾性部材６４の先端部が、バーナケース１３の外方の突出した前記ロッド５９の端部に設けられた挿通孔５９ａに挿脱自在に挿通されている。これにより、ロッド５９が線状弾性部材６４を介して電動モータ６０の回転駆動軸６０ａに連結されている。
【００３７】
かかる弁装置５７では、電動モータ６０の回転駆動軸６０ａを回転させることにより、混合気分配部３９内に配置された弁体５８がロッド５９と共に左右方向に移動させる。これにより、前記混合気分配部３９の左右の貫通穴４１，４２と弁体５８との間隔を調整し、混合気分配部３９に対する貫通穴４１，４２の開度を調整する。この場合、本実施形態における気化式燃焼装置１６では、種火バーナ３３の燃焼を開始した後、該種火バーナ３３及びメインバーナ３４の両者の燃焼を行うようにしており、種火バーナ３３のみの燃焼に際しては、メイン側混合気通路４３に連通する貫通穴４２を閉じる位置に弁体５８が移動され、種火バーナ３３及びメインバーナ３４の両者の燃焼に際しては、弁体５８は、基本的には、貫通穴４１，４２の間で、種火側混合気通路３８に連通する貫通穴４１寄りの位置に移動される。
【００３８】
尚、本実施形態における弁装置５７では、電動モータ６０の回転駆動軸６０ａを回転させたとき、ロッド５９が前後方向に移動すると同時に前記ロッド挿通孔６１を支点として上下方向に若干揺動する。このため、前記蓋部材２９のロッド貫通孔６２は、ロッド５９の外径よりも大きな口径に形成されている。そして、このロッド貫通孔６２におけるバーナケース１３内の気密性を確保するために、ロッド５９の外周部にロッド貫通孔６２を塞ぐシール部材６５がロッド５９の軸方向に摺動自在に挿着されていると共に、このシール部材６５を上下動可能に案内するガイド部材６６が前記蓋部材２９の内面部に固設されている。
【００３９】
前述のようにバーナ取付部材４７に支持されたバーナユニット３１は、その右側部寄りの部分（前記混合気分配部３９を含む）が前記板材５０の垂直板４９の右側に張り出しており、この部分のバーナトップ３７上に前記気化器３２が搭載されて、該バーナトップ３７に複数のねじ６７（図６参照）により固定されている。そして、該気化器３２は、図６に示すように、その前端部と後端部とが複数のねじ６８により前記板材５０の垂直板４９に固定され、これにより、該気化器３２は、バーナユニット３１と共にバーナ取付部材４７の板材５０に組み付けられている。この場合、気化器３２は、それを前記バーナユニット３１に組付けた状態で、前記バーナケース１３の右側の側板１３ａの開口穴２８を介してバーナケース１３内に挿入され、バーナユニット３１と共に上述のようにバーナ取付部材４７に組付けられている。
【００４０】
図５を参照して、前記気化器３２は、電熱ヒータ６９を内蔵した本体部７０と、この本体部７０に装着された外装カバー部材７１とから構成され、これらの本体部７０と外装カバー部材７１とにより、気化器３２の内部に、灯油の気化ガスと一次空気との混合気を生成する混合気生成部７２を形成している。そして、該混合気生成部７２で生成される混合気は、前記バーナトップ３３の右側部に穿設された貫通穴７３を介して前記種火バーナヘッド３６内の混合気分配部３９に供給されるようになっている。
【００４１】
尚、気化器３２の本体部７０には、受熱フィン７４が突設されており、この受熱フィン７４は、バーナユニット３１及び気化器３２を前記バーナ取付部材４７に取付けたとき、該バーナ取付部材４７の垂直板４９に穿設された貫通穴７５を介して燃焼室５１内に突出し、前記種火炎口４４の上方に位置するようになっている。また、気化器３２の本体部７０には、その温度を検出するための温度センサ７６が取付けられている。
【００４２】
また、気化器３２の外装カバー部材７１には、混合気生成部７２に一次空気を導入するための空気導入口７７が設けられている。この空気導入口７７は、バーナケース１３の右側側板１３ａの開口穴２８に対面しており、この開口穴２８を塞ぐ前記蓋部材２９に基部７８ａを固定した燃料噴射ノズル７８が挿脱自在に挿入されている。
【００４３】
この燃料噴射ノズル７８の基部７８ａには、図３に示すように、前記定油面器１５に装着された電磁ポンプ７９から導出された給油管８０が着脱自在に挿着され、電磁ポンプ７９を作動させることにより、定油面器１５から燃料噴射ノズル７８に灯油が供給されるようになっている。そして、該燃料噴射ノズル７８は、供給される灯油を電熱ヒータ６９により加熱された気化器３２の本体部７０に混合気生成部７２内で噴射し、その噴射された灯油が気化器３２の本体部７０の熱により気化される。
【００４４】
図３及び図５を参照して、前記燃焼ファン１４は、バーナケース１３内にバーナユニット３１の燃焼用の一次空気及び二次空気を供給するもので、バーナケース１３の左側の側板１３ａの下部に設けられた給気穴８１（図５参照）の箇所で該側板１３ａに装着されている。そして、この燃焼ファン１４から上記給気穴８１を介してバーナケース１３内に供給される燃焼用空気は、その一部が一次空気として、バーナユニット３１の下方や周囲の空間８２を通って気化器３２の空気導入口７７に供給され、該気化器３２の内部の混合気生成部７２において、液体燃料の気化ガスと混合されてバーナユニット３１の混合気分配部３９に供給される。そして、該混合気分配部３９に供給された混合気は、混合気分配部３９から種火側混合気通路３８やメイン混合気通路４３を介して種火炎口４４やメイン炎口４５に供給される。また、バーナケース１３内に供給される燃焼用空気の残部は、二次空気として、バーナユニット３１のバーナトップ３７の前記二次空気供給孔４６（図６参照）を介して燃焼室５１に供給される。
【００４５】
尚、燃焼ファン１４の吸気口は、前記給排気管１２（詳しくは給排気管１２の給気路）に連通して外装ケース１内に設けられた給気ボックス８３に給気配管８４を介して接続されている。この場合、該給気配管８４は、ジャバラ部材等により構成され、燃焼ファン１４の吸気口に着脱自在に接続されている。
【００４６】
図３を参照して、前記放熱器１７は、バーナユニット３１の燃焼運転中にバーナケース１３内の燃焼室５１で生成される高温の排ガスと前記対流ファン１８から供給される空気との熱交換を行うものであり、燃焼室５１で生成される排ガスを、外装ケース１内で、排気ダクト８５から、上流放熱管８６、上流側排ガス集合部８７、複数の下流放熱管８８、及び下流側排ガス集合部８９を順に介して排気配管９０に流通させる構成とされている。この場合、排気ダクト８５は、図５に示すように前記燃焼室５１に連通してバーナケース１３の天板１３ｅに形成された排気口８６に連通する箇所で、該天板１３ｅに図示しないブラケットを介して固設され、該排気ダクト８５を介して放熱器１７がバーナケース１３上に支持されている。また、上流放熱管８６及び下流放熱管８８はバーナケース１３のほぼ上方に上下に並んで左右方向に平行に延在し、下流放熱管８８は、外装ケース１の前記温風吹き出し口６に臨んで設けられている。そして、前記排気配管９０は、ジャバラ部材等により伸縮可能に構成されており、前記給排気管１２（詳しくは給排気管１２の排気路）に連通して前記給気ボックス８３と一体的に設けられた排気ボックス９１に着脱自在に接続されている。
【００４７】
以上説明した本実施形態の装置（温風暖房装置）では、バーナユニット３１や気化器３２は、それらのメンテナンスを行う際等に、次のようにして外装ケース１やバーナケース１３内から取り出される。
【００４８】
すなわち、前記化粧パネル７及び柵状ガード部材８を外装ケース１の前板部材１ａから取り外し、さらに、前板部材１ａを前記底板架台１ｅ上のブラケット３や側板部材１ｂ等に固定するねじ（図示しない）を取り外すことで、前板部材１ａを外装ケース１から取り外す。このとき、図３に示すように、バーナケース１３や、これに装着された燃焼ファン１４、放熱器１７等が露出する。
【００４９】
次いで、前記燃料噴射ノズル７８の基部７８ａから、給油管８０を取り外すと共に、前記ドレン管５４から、ドレンパイプ５６を取り外し、さらに、バーナケース１３の前板１３ｂのエプロン部２３を前記補助架台２０のブラケット２４に固定しているねじ（図示しない）を取り外す。さらに、前記放熱器１７の排気配管９０を前記排気ボックス９１から取り外すと共に、前記給気配管８４を燃焼ファン１４から取り外す。尚、この場合、バーナケース１３の前板１３ｂに取付けられているフレームロッド２６及び点火電極２７からそれぞれ導出されている配線２６ａ，２７ａも、図示しないコネクタを切り離すことで、電子回路ユニットに連なる配線（図示しない）から取り外される。
【００５０】
そして、この状態において、バーナケース１３を把持して、該バーナケース１３を補助架台２０上で手前側に引き出す。このとき、バーナケース１３は、その脚部１９，１９が補助架台２０上を摺動しつつ、該補助架台２０上から外装ケース１の前方の外部に引き出される。また、このとき、放熱器１７及び燃焼ファン１４も、バーナケース１３と共に、外装ケース１の前方の外部に取り出される。
【００５１】
次に、前記弁装置５７の線状弾性部材６４をロッド５９の挿通孔５９ａから抜脱し、さらに、前記蓋部材２９をバーナケース１３の右側側板１３ａに固定しているねじ３０を取り外す。そして、蓋部材２９を把持して、右方向に移動させる。
【００５２】
このとき、蓋部材２９に固定されている燃焼噴射ノズル７８が気化器３２の空気導入口７７から抜脱されると共に、蓋部材２９が、前記シール部材６５，５５ａと共に、前記ロッド５９及びドレン管５４から抜脱される。この結果、バーナケース１内には、前記バーナユニット３１に弁体５８及びロッド５９と、ドレン管５４とが組み込まれた状態で、該バーナユニット３１及び気化器３２がバーナケース１３の開口穴２８を介して露出した状態となる（図６参照）。
【００５３】
そして、この状態において、気化器３２を前記バーナ取付部材４７の垂直板４９に固定しているねじ６８を開口穴２８を介して取り外す。また、このとき、前記フレームロッド２６や点火電極２７の場合と同様、気化器３２の温度センサ７６及び電熱ヒータ６９からそれぞれ導出されている配線７６ａ，６９ａも、図示しないコネクタを開口穴２８を介して切り離すことで、電子回路ユニットに連なる配線（図示しない）から取り外される。
【００５４】
次いで、バーナユニット３１あるいは気化器３２を把持して、バーナケース１３の開口穴２８側（図６の手前側）に引き出し、該開口穴２８を介して、該バーナユニット３１及び気化器３２をバーナケース１３内から取り出す。このとき、バーナユニット３１のバーナトップ３７が前記ガイド部材５２，５２のバーナ支承部５２ａ上を滑りつつ、該バーナユニット３１がこれに装着されている気化器３２と共に、開口穴２８側に移動し、該開口穴２８からバーナケース１３の右側方に引き出される。
【００５５】
以上によりバーナユニット３１及び気化器３２がバーナケース１３内から取り出され、それらのメンテナンス等を行うことができる。さらに、気化器３２をバーナユニット３１から取り外せば（図６のねじ６７を取り外す）、バーナユニット３１及び気化器３２のメンテナンス等を個別に行うこともできる。
【００５６】
以上説明したようにして、本実施形態の装置では、外装ケース１やバーナケース１３をさほど、分解せずともバーナユニット３１及び気化器３２をバーナケース１３内から外部に容易に取り出すことができ、それらのメンテナンス等の作業を効率よく容易に行うことができる。特に、バーナユニット３１及び気化器３２は、外装ケース１内からその前方に引き出されるバーナケース１３の横方向（左右方向）で該バーナケース１３内から引き出されるため、外装ケース１の前方にさほど広い作業領域を必要とせずに、バーナユニット３１及び気化器３２をバーナケース１３内から取り出すことができる。
【００５７】
また、本実施形態では、バーナケース１３を外装ケース１内から前方に引き出したとき、前記放熱器１７及び燃焼ファン１４もバーナケース１３と共に外装ケース１内から引き出されるため、それらの放熱器１７や、燃焼ファン１４のメンテナンス等も容易に行うことが可能である。
【００５８】
尚、以上説明した実施形態では、温風暖房装置に備えた気化式燃焼装置１６を例にとって説明したが、温水暖房装置や、給湯装置等に備えた気化式燃焼装置についても本発明を適用することが可能であることはもちろんである。
【００５９】
さらに、前記実施形態では、種火バーナ３３を有するバーナユニット３１を備えたものについて説明したが、メインバーナのみを備えるような気化式燃焼装置についても本発明を適用することができ、この場合、前記実施形態で説明したような弁装置５７は不要である。
【図面の簡単な説明】
【図１】本発明の気化式燃焼装置の一実施形態を具備した温風暖房装置の外装ケースの構成を示す斜視図。
【図２】図１の温風暖房装置の一部を破断して示した側面図。
【図３】図１の温風暖房装置の内部構成を示す正面図。
【図４】図１の温風暖房装置の内部構成の要部の斜視図。
【図５】図１の温風暖房装置に備えた気化式燃焼装置の要部の構造を示す断面図。
【図６】図５のＶＩ−ＶＩ線断面図。
【符号の説明】
１…外装ケース、１ａ…前板部材（前面パネル）、１３…バーナケース、２８…開口穴、３１…バーナユニット（バーナ）、３２…気化器。
【図１】
0004086463.tif 000002
【図２】
0004086463.tif 000003
【図３】
0004086463.tif 000004
【図４】
0004086463.tif 000005
【図５】
0004086463.tif 000006
【図６】
0004086463.tif 000007